(57)【要約】【課題】  回転機構を備えたディスプレイ装置において、デザイン上の制約を受けず、かつ回転操作時の安全性を向上したディスプレイ装置を提供することを目的とする。【解決手段】  ディスプレイ本体をスタンドにて支持するものであって、スタンドは外装部を形成する外部支柱と、この外部支柱内に挿入される円筒状の内部支柱とを有する構成とし、内部支柱の先端部がディスプレイ本体内に突出し、この内部支柱の先端部にスィーベル機構を取付け、ディスプレイ本体を内部支柱の軸周りに沿って回転可能とするため、スイーベル機構によってディスプレイ本体を支えるように、ディスプレイ本体の底面部とスィーベル機構とを取付金具によって結合したことを特徴とする。【選択図】  図３
2005221823.tif 000002
【特許請求の範囲】
【請求項１】
ディスプレイ本体と、
外装部を形成する外部支柱、及びその外部支柱の軸方向沿って前記外部支柱内に挿入され外形が円筒状を成す内部支柱とを有し、前記内部支柱の先端部が外部支柱の頂部よりも突出したスタンドと、
前記内部支柱の前記先端部に取付けられ、前記内部支柱の軸周りに所定の範囲内で回転可能なスィーベル機構と、
前記ディスプレイ本体を前記内部支柱の軸周りに沿って回転可能とするため、前記スイーベル機構によって前記ディスプレイ本体を支えるように、前記ディスプレイ本体の底面部と前記スィーベル機構とを結合する取付金具とを具備したことを特徴とするディスプレイ装置。
【請求項２】
前記ディスプレイ本体の底面外周よりも前記外部支柱の頂部が低い位置にあることを特徴とする請求項１記載のディスプレイ装置。
【請求項３】
前記外装部を形成する外部支柱の外形は、前記内部支柱の外形と非相似形状であることを特徴とする請求項１又は２記載のディスプレイ装置。
【請求項４】
前記外装部を形成する外部支柱の外形は、楕円形であることを特徴とする請求項１又は２記載のディスプレイ装置。
【請求項５】
前記ディスプレイ本体の底面の一部を構成し、前記内部支柱の先端部が挿入される円形の開口を有し、前記スィーベル機構を覆うように前記取付金具に固定されたカバーを有することを特徴とする請求項１記載のディスプレイ装置。
【請求項６】
前記ディスプレイ本体は前面枠とバックカバーにて成る筐体を有し、前記バックカバーの底部背面に収納部を有し、前記スィーベル機構と前記取付金具をこの収納部内に取付けて成ることを特徴とする請求項１記載のディスプレイ装置。
【請求項７】
フラットパネル型のディスプレイ本体と、
外装部を形成する外部支柱、及びその外部支柱の軸方向沿って前記外部支柱内に挿入され外形が円筒状を成す内部支柱とを有し、前記内部支柱の先端部が外部支柱の頂部よりも突出したスタンドと、
前記内部支柱の前記先端部に取付けられ、前記内部支柱の軸周りに所定の範囲内で回転可能なスィーベル機構と、
前記ディスプレイ本体を前記内部支柱の軸周りに沿って回転可能とするため、前記スイーベル機構によって前記ディスプレイ本体を支えるように、前記ディスプレイ本体の底面部と前記スィーベル機構とを結合する取付金具と、
前記ディスプレイ本体の底面部の一部を構成し、前記内部支柱の先端部が挿入される円形の開口を有し、前記スィーベル機構を覆うように前記取付金具に固定されたカバーと、を具備したことを特徴とするディスプレイ装置。
【請求項８】
前記ディスプレイ本体は前面枠とバックカバーにて成る筐体を有し、前記バックカバーの底部背面に収納部を設け、この収納部に係止部を形成して前記スィーベル機構と一体化した前記取付金具を前記係止部に係合させて取付けるようにしたことを特徴とする請求項７記載のディスプレイ装置。
【発明の詳細な説明】
【技術分野】
【０００１】
本発明は、液晶ディスプレイやプラズマディスプレイ等のフラットパネル型のディスプレイ装置に係り、特にディスプレイ本体を左右方向に角度を変えて見ることができるようにしたスィーベル機構を備えたディスプレイ装置に関する。
【背景技術】
【０００２】
従来、画像表示のために各種ディスプレイ装置が用いられているが、最近では薄型で比較的大画面のディスプレイ装置として、例えば液晶ディスプレイやプラズマディスプレイ等によるフラットパネル型のディスプレイ装置が普及している。
【０００３】
このようなディスプレイ装置は、薄型であることから壁掛けタイプや、ディスプレイ本体をスタンド上に支持するタイプが一般的である。また、スタンドを有するディスプレイ装置では、ディスプレイ本体を水平方向に所定の角度だけ回転できるようにした、所謂スィーベル機構を備え、視聴者が見やすい角度に調整できるようにしたものもある。
【０００４】
例えば特許文献１には、液晶ディスプレイ部と、このディスプレイ部を支持するスタンド部と、ディスプレイ部をスタンド部に対して左右方向及び上下方向に回転自在に連結するヒンジ部とを設けた例が記載されている。この特許文献１に記載のディスプレイ装置によれば、ディスプレイ部が上下方向及び左右方向に調節可能であり、ユーザの所望の通りにディスプレイ部の角度を調節して使用できるようになっている。
【０００５】
一方、上記のような回転機構を備えたディスプレイ装置では、ディスプレイ本体を左右に回転させるため、円筒又は円柱状の支柱によって支持する必要があり、特許文献１のスタンド部やヒンジ部においても円形状の外観構造を有している。
【０００６】
したがって、スタンド部の構造を楕円形状等、真円以外の外観にすることは難しく、デザイン上の制約を受けていた。また、ディスプレイ本体を支えるスタンドの形状を真円以外、例えば楕円形状にした場合、ディスプレイ本体の底部にはスタンドの先端を挿入するための開口部を設ける必要があり、しかもディスプレイ本体を所定の角度回転させるためには、開口部をやや大きくとる必要がある。このため、開口部とスタンド先端部との間に隙間ができるため、ユーザがこの隙間に指を入れて挟まれるという事態を招くことがあり、安全上の問題を有していた。
【特許文献１】特開平１０−１４３０８４号公報（第３頁〜第４頁、図２）
【発明の開示】
【発明が解決しようとする課題】
【０００７】
上記したような回転機構を備えたディスプレイ装置では、ディスプレイ本体を支えるスタンド部の構造が円形のものとなり、デザイン上の制約を受けていた。また、スタンド部の形状を真円以外の形状にした場合は、ディスプレイ本体の回転操作時にユーザが指を挟まれることがあり、安全上の対策が必要であった。例えば、上記隙間を塞ぐために別部品を必要とし、構成が複雑になるという不具合があった。
本発明は上記した点に鑑み、デザイン上の制約を受けることなく、かつ安全面でも有利なディスプレイ装置を提供することを目的とする。
【課題を解決するための手段】
【０００８】
本発明はこのような問題点を解決するためになされたディスプレイ装置であって、ディスプレイ本体と、外装部を形成する外部支柱、及びその外部支柱の軸方向沿って前記外部
支柱内に挿入され外形が円筒状を成す内部支柱とを有し、前記内部支柱の先端部が外部支柱の頂部よりも突出したスタンドと、前記内部支柱の前記先端部に取付けられ、前記内部支柱の軸周りに所定の範囲内で回転可能なスィーベル機構と、前記ディスプレイ本体を前記内部支柱の軸周りに沿って回転可能とするため、前記スイーベル機構によって前記ディスプレイ本体を支えるように、前記ディスプレイ本体の底面部と前記スィーベル機構とを結合する取付金具とを具備したことを特徴とする。
【０００９】
また、本発明のディスプレイ装置は、フラットパネル型のディスプレイ本体と、外装部を形成する外部支柱、及びその外部支柱の軸方向沿って前記外部支柱内に挿入され外形が円筒状を成す内部支柱とを有し、前記内部支柱の先端部が外部支柱の頂部よりも突出したスタンドと、前記内部支柱の前記先端部に取付けられ、前記内部支柱の軸周りに所定の範囲内で回転可能なスィーベル機構と、前記ディスプレイ本体を前記内部支柱の軸周りに沿って回転可能とするため、前記スイーベル機構によって前記ディスプレイ本体を支えるように、前記ディスプレイ本体の底面部と前記スィーベル機構とを結合する取付金具と、前記ディスプレイ本体の底面部の一部を構成し、前記内部支柱の先端部が挿入される円形の開口を有し、前記スィーベル機構を覆うように前記取付金具に固定されたカバーと、を具備したことを特徴とする。
【発明の効果】
【００１０】
以上説明したように，本発明のディスプレイ装置によれば、ディスプレイ本体の角度を任意に調節可能で、デザイン上の制約を低減し、かつ構造的にも安全で簡素化されたディスプレイ装置を得ることができる。
【発明を実施するための最良の形態】
【００１１】
以下、図面を参照しながら本発明のディスプレイ装置について詳細に説明する。
【実施例１】
【００１２】
図１は本発明のディスプレイ装置を前面から見た場合の外観図、図２は本発明のディスプレイ装置を背面から見た場合の斜視図である。まず、図１，図２を参照してディスプレイ装置の概略的な構成について説明する。
【００１３】
図１において、ディスプレイ装置１は、ディスプレイ本体２と、このディスプレイ本体２を支えるスタンド３から構成されている。ディスプレイ本体２は例えば液晶ディスプレイやプラズマディスプレイ等からなる薄型のフラットパネルであり、画像を表示する表示部２１と、その表示部２１を収容した筐体を有している。尚、筐体は前面枠２２とバックカバー２３から成っている。
【００１４】
前記スタンド３は、全体的に楕円形状を有し外装部を成す外部支柱３１と、この外部支柱３１の中に配置される円筒状の内部支柱３２を有している。尚、外部支柱３１は楕円形状を有しているが、他の形状であってもよく、内部支柱３２の外形と非相似形の任意の形状とすることができる。
【００１５】
図２は、ディスプレイ装置１の背面を詳細に示したものであり、ディスプレイ本体２の表示部２１は省略して示している。図２において、２３はバックカバーであり、ディスプレイ本体２に設けられた回路基板等を覆うもので、ネジ穴２４を介してネジを螺入することで前面枠２２にバックカバー２３を取り付けることができる。尚、印刷基板や液晶パネル等はディスプレイ本体内のシャーシ７（図４，５で説明）に取付けられている。また、バックカバー２３の背面底部にはスイーベル機構４及び取付金具５を固定するため、収納部２５が設けられており、スイーベル機構４及び取付金具５を覆うようにカバー６が設けられている。
【００１６】
このカバー６はディスプレイ本体２の底面の一部を構成するもので、その底部には前記内部支柱３２が挿入される円形の開口６１が形成されており、前記内部支柱３２の先端部には、スィーベル機構４が取り付けられ、さらにディスプレイ本体２１をスイーベル機構４に固定するための取付金具５が取り付けられている。尚、スィーベル機構４、取付金具５及びカバー６の構成については図３，図４にて詳細に説明する。
【００１７】
前記外部支柱３１の頂部はディスプレイ本体２の底面よりも僅かに低い位置にあり、前記内部支柱３２の先端はディスプレイ本体２内に突出している。そしてディスプレイ本体２は、バックカバー２３内のシャーシ７に取付金具５を固定することにより、スィーベル機構４の上に支持固定され、このスィーベル機構４によって、ディスプレイ本体２を前記内部支柱３２の軸周りに所定の角度θだけ左右方向に回転できるようにしている。
【００１８】
次に図３，図４を参照してスィーベル機構４及び取付金具５について説明する。図３は、カバー６を外した状態を示し、図４はカバー６を取付けた状態を示している。
【００１９】
図３において、スタンド３は、楕円形状の外部支柱３１を有し、外部支柱３１の頂部には前記内部支柱３２が貫通可能な穴３３が形成され、この穴３３に円筒状の内部支柱３２が挿入されるようになっている。内部支柱３２の先端には前記スィーベル機構４が取り付けられ、このスィーベル機構４は内部支柱３２の軸周りに所定の角度θの範囲内で回転可能であり、スィーベル機構４の上に前記取付金具５が固定されている。したがって取付金具５も角度θの範囲内で回転可能である。
【００２０】
前記取付金具５は、前記スィーベル機構４と対面する水平面５１と、この水平面５１から垂直方向に起立した垂直面５２、及びこの垂直面５２の両サイドに形成した側面５３とを有し、垂直面５２及び側面５３を前記バックカバー２３の収納部２５に固定するようにしている。収納部２５には図４で示すように、取付金具５の垂直面５２の角部を収納して仮止めを行う係止部２６が形成され、さらに複数のネジ穴２７が形成されている。また、取付金具５の垂直面５２にも、複数のネジ穴５４が設けられ、ネジ穴２７とネジ穴５４にネジ５５を螺入してバックカバー２３の後面に設けられたシャーシ７に固定するようにしている。
【００２１】
また、カバー６はコ字状の断面形状を有し、底面には前記内部支柱３２が挿入可能な円形の開口６１が形成され、上面には組立用の穴６２が形成されている。スィーベル機構４、取付金具５及びカバー６の組立方は、例えばスイーベル機構４と取付金具５を先に組立てておき、内部支柱３２をカバー６の穴６１に通し、そのあと内部支柱３２の先端にスィーベル機構４と取付金具５の組立品を取付け、最後にカバー６で覆い、組立用の穴６２から冶具（ドライバ等）を差込み、最終的なネジ止め等を行って完了する。
【００２２】
図４は、スィーベル機構４、取付金具５及びカバー６の組立状態を示している。こうして組み立てたものを前記バックカバー２３の収納部２５に挿入し、取付金具５の垂直面５２の角部を係止部２６に係合（挿入）して仮止めし、最終的にネジ穴５４、２７にネジ５５を螺入してバックカバー２３及びシャーシ７に固定すれば取付作業は完了し、ディスプレイ本体２はスィーベル機構４によって支えられることになる。したがってディスプレイ本体２への取付作業は簡単に行うことができる。
【００２３】
図５は、スィーベル機構４、取付金具５及びカバー６を前記バックカバー２３とシャーシ７に取付けた状態を示す断面図であり、ディスプレイ本体２の上端部は図示を省略し、スタンド３及びスィーベル機構４、取付金具５及びカバー６を主体に示している。尚、シャーシ７は液晶パネルや回路基板等をディスプレイ本体内に固定するためのものである。
【００２４】
この断面図から分るように、カバー６の開口６１には内部支柱３１が挿入され、外部支柱３２の頂部は、カバー６の底面に対しほとんど隙間なく対面しているため、指等が開口６１を介して入り込むのを防ぐことができ、安全面で有利な構造となっている。
【００２５】
このように本発明のディスプレイ装置によれば、スタンド３の外装構造を楕円形状など、任意の形状に設計することができ、しかも回転時に指を挟むこともないから、安全性にも優れたディスプレイ装置を提供することができる。
【図面の簡単な説明】
【００２６】
【図１】本発明に係るディスプレイ装置の一実施形態を示す斜視図。
【図２】本発明に係るディスプレイ装置の背面を示す斜視図。
【図３】本発明に係るディスプレイ装置の要部の構成を一部分解して示す斜視図。
【図４】本発明に係るディスプレイ装置の要部を組み立てた状態を示す斜視図。
【図５】本発明に係るディスプレイ装置の要部の構成を示す断面図。
【符号の説明】
【００２７】
１    ディスプレイ装置
２    ディスプレイ本体
３    スタンド
４    スィーベル機構
５    取付金具
６    カバー
７    シャーシ
２１  表示部
２２  前面枠
２３  バックカバー
２５  収納部
２６  係止部
３１  外部支柱
３２  内部支柱
３３  円形穴
６１  円形開口
【図１】
2005221823.tif 000003
【図２】
2005221823.tif 000004
【図３】
2005221823.tif 000005
【図４】
2005221823.tif 000006
【図５】
2005221823.tif 000007